(57)【特許請求の範囲】
【請求項１】
繊維品の除菌および洗浄に用いられる洗浄剤組成物であって、下記の（Ａ）〜（Ｃ）成分を必須成分として含有することを特徴とする液体除菌洗浄剤組成物。
（Ａ）下記の一般式（１）で表されるジオクチルジメチルアンモニウム塩  ２〜１０質量％。
【化１】
0005385521.tif 000014
（Ｂ）アルカリ剤  １〜３０質量％。
（Ｃ）キレート剤  １０〜３０質量％。
【請求項２】
上記（Ａ）〜（Ｃ）成分とともに、（Ｄ）成分として、非イオン界面活性剤を１〜４０質量％含有する請求項１記載の液体除菌洗浄剤組成物。
【請求項３】
上記（Ｂ）成分が、モノエタノールアミン、ジエタノールアミンおよびトリエタノールアミンからなる群より選ばれる少なくとも一種である請求項１または２記載の液体除菌洗浄剤組成物。
【請求項４】
上記（Ｃ）成分が、クエン酸、グルコン酸、コハク酸、トリポリリン酸、ヒドロキシエチルエチレンジアミントリ酢酸、エチレンジアミンテトラ酢酸、ジエチレントリアミンペンタ酢酸、ニトリロトリ酢酸、トリエチレンテトラミンヘキサ酢酸、ホスホン酸類、Ｌ−グルタミン酸二酢酸、メチルグリシン二酢酸、アクリル酸重合体、アクリル酸とマレイン酸の共重合体、およびそれらのアルカリ金属塩からなる群より選ばれる少なくとも一種である請求項１〜３のいずれか一項に記載の液体除菌洗浄剤組成物。
【発明の詳細な説明】
【技術分野】
【０００１】
本発明は、繊維品、特に新生児や要介護老人が着用する衣料等の除菌洗浄に適した液体除菌洗浄剤組成物に関するものである。
【背景技術】
【０００２】
介護を必要とする者が着用するおしめ、パンツなどの介護用衣料や、新生児のおしめ等の衣料には、尿や便といった排泄物の汚れが多量に付き、また排泄物中に含まれる細菌が衣料内部で繁殖することにより、極めて不衛生な汚れを形成する。このような汚れに対して、皮脂汚れや泥汚れなどを対象とした通常の液体洗剤では、充分に除菌洗浄することができないため、上記排泄物特有の汚れを対象とした液体除菌洗浄剤が開発されている。
【０００３】
例えば、（ａ）界面活性剤と、（ｂ）エタノールアミンと、（ｃ）キレート剤と、（ｄ）水溶性炭酸塩とを、特定の割合で配合することにより、ベビー用衣料特有の尿や便に由来する頑固なしみと、油脂、タンパク質など食品の汚れ、皮脂汚垢、泥汚れ等の通常の衣服に付く汚れとの双方に対する洗浄効果の向上を企図した液体洗浄剤組成物が開示されている（特許文献１を参照）。
【０００４】
また、（Ａ）アニオン界面活性剤、両性界面活性剤および非イオン界面活性剤の一種または二種以上を混合した界面活性剤と、（Ｂ）特定のアミノポリカルボン酸およびその塩を１種または２種以上混合したキレート剤と、（Ｃ）従来の洗浄剤に常用されているアルカリ剤とを、特定の割合で配合することにより、下着等に特有な汚れ（ビリルビン汚れ）に対する洗浄効果の向上を企図したビリルビン汚れ落とし洗浄剤が開示されている（特許文献２を参照）。
【０００５】
また、お絞り、タオル、オムツ、シーツ、浴衣やパジャマ等の夜着、下着等の繊維製品の殺菌や柔軟処理、紙等の清浄剤として使用することのできる殺菌および柔軟剤組成物として、硼砂と、ポリアミノモノカルボン酸と、塩化ベンザルコニウムおよびシリコーン系風合改良剤を主成分として含有する組成物が開示されている（特許文献３を参照）。
【特許文献１】特開平１１−５９９７号公報
【特許文献２】特開昭６３−６０９７号公報
【特許文献３】特許第２５０６１２５号公報
【発明の開示】
【発明が解決しようとする課題】
【０００６】
しかしながら、上記特許文献１、２には、排泄物に含まれる細菌を除菌するという視点はなく、細菌が洗浄中に洗濯機の中で撹拌されて衣料等を再汚染するという問題が解決されていないため、排泄物中の細菌に対する除菌力が充分ではないという問題がある。
【０００７】
これに対し、上記特許文献３の組成物は、殺菌性を有する硼砂、ポリアミノモノカルボン酸および塩化ベンザルコニウムを含有するため、組成物が殺菌力を有するものの、洗濯時に、上記ポリアミノモノカルボン酸と塩化ベンザルコニウムが繊維に吸着されやすく、洗濯液中に分散する細菌に対する殺菌力が低下するという問題があり、上記洗濯液中に残留する細菌が衣料等を再汚染するという問題が依然として解決されていない。
【０００８】
本発明は、このような事情に鑑みなされたもので、介護を必要とする者が着用する衣料等の排泄物による汚れに対して、優れた除菌効果と洗浄効果を安定して発揮し、衣料等を再汚染しにくい液体除菌洗浄剤組成物を提供することを、その目的とする。
【課題を解決するための手段】
【０００９】
上記の目的を達成するため、本発明は、繊維品の除菌および洗浄に用いられる洗浄剤組成物であって、下記の（Ａ）〜（Ｃ）成分を必須成分として含有する液体除菌洗浄剤組成物を第１の要旨とする。
（Ａ）下記の一般式（１）で表されるジオクチルジメチルアンモニウム塩  ２〜１０質量％。
【化１】
0005385521.tif 000002
（Ｂ）アルカリ剤  １〜３０質量％。
（Ｃ）キレート剤  １０〜３０質量％。
【００１０】
また、本発明は、そのなかでも、特に、上記（Ａ）〜（Ｃ）成分とともに、（Ｄ）成分として、非イオン界面活性剤を１〜４０質量％含有する液体除菌洗浄剤組成物を第２の要旨とする。
【００１１】
さらに、本発明は、それらのなかでも、特に、上記（Ｂ）成分が、モノエタノールアミン、ジエタノールアミンおよびトリエタノールアミンからなる群より選ばれる少なくとも一種である液体除菌洗浄剤組成物を第３の要旨とする。
【００１２】
そして、本発明は、それらのなかでも、特に、上記（Ｃ）成分が、クエン酸、グルコン酸、コハク酸、トリポリリン酸、ヒドロキシエチルエチレンジアミントリ酢酸、エチレンジアミンテトラ酢酸、ジエチレントリアミンペンタ酢酸、ニトリロトリ酢酸、トリエチレンテトラミンヘキサ酢酸、ホスホン酸類、Ｌ−グルタミン酸二酢酸、メチルグリシン二酢酸、アクリル酸重合体、アクリル酸とマレイン酸の共重合体、およびそれらのアルカリ金属塩からなる群より選ばれる少なくとも一種である液体除菌洗浄剤組成物を第４の要旨とする。
【００１３】
すなわち、本発明者らは、前記課題を解決するために鋭意研究を行った結果、ジオクチルジメチルアンモニウム塩をアルカリ剤およびキレート剤と、特定の割合で組み合わせることにより、排泄物により形成された不衛生な汚れに対し、繊維の影響を受けずに充分な除菌力、洗浄力を発揮し、衣料等の繊維品への再汚染を生じにくい液体除菌洗浄剤組成物が得られることを見いだし、本発明に到達した。
【発明の効果】
【００１４】
本発明の液体除菌洗浄剤組成物は、尿や便により形成された不衛生な汚れに対し、優れた除菌効果および洗浄効果を発揮し、しかも衣料等の繊維品への汚れの再汚染が少ないという利点を有する。したがって、介護を必要とする者が着用するおしめ、パンツなどの介護用衣料、新生児の衣料、お絞り、タオル、シーツ等の繊維品を、一回の洗浄で衛生的に除菌して、清浄に仕上げることができる。
【発明を実施するための最良の形態】
【００１５】
つぎに、本発明を実施するための最良の形態について、詳細に説明する。
【００１６】
本発明の液体除菌洗浄剤組成物（以下、「本組成物」という）は、ジオクチルジメチルアンモニウム塩（Ａ成分）と、アルカリ剤（Ｂ成分）と、キレート剤（Ｃ成分）とを、必須成分として含有するものである。
【００１７】
上記（Ａ）成分であるジオクチルジメチルアンモニウム塩は、下記の一般式（１）で表される。このものは、洗浄対象となる繊維品の素材（綿、ポリエステル、ナイロン等）に左右されることなく、洗濯時においてどの繊維に対しても吸着されることが少ないため、繊維品の被洗浄面に付着している細菌に対する除菌作用に寄与し、さらに繊維品に対する再汚染が少ない仕上がりとなる効果に寄与する。
【００１８】
【化２】
0005385521.tif 000003
【００２０】
なお、上記一般式（１）のＸ- は、Ｃｌ- 、Ｉ- 、Ｂｒ- 等のハロゲンイオンであるか、ＨＳＯ4 - 、ＮＯ3 - 、Ｈ2 ＰＯ4 - 等の無機酸対イオンであるか、ＣＨ3 ＯＳＯ3 - 、Ｃ2 Ｈ5 ＳＯ3 - 、ＣＨ3 ＣＯ2 - 、ＣＨ3 Ｃ6 Ｈ4 ＳＯ3 - 、ＣＨ3 ＳＯ3 - 等の有機酸対イオンであることが好ましく、なかでも特に、Ｃｌ- であることが好ましい。
【００２１】
このような（Ａ）成分の具体例としては、ジオクチルジメチルアンモニウムクロライド等があげられる。これらは単独または２種以上を組み合わせて用いてもよい。なお、入手容易性の点から、ジオクチルジメチルアンモニウムクロライドを使用することが好ましい。
【００２２】
そして、上記（Ａ）成分の配合量は、本組成物全体に対し、２〜１０質量％の範囲内に設定しなければならない。すなわち、２質量％未満の配合量では、除菌効果に乏しく、一方、１０質量％を超えると、多量のカチオン界面活性剤が汚れを抱き込み、繊維品への再汚染が多くなるなるからである。上記範囲のなかでも、特に、４〜８質量％の範囲に設定することが、除菌および汚れの再汚染防止の点から好適である。
【００２３】
また、本発明で用いられる（Ｂ）成分のアルカリ剤は、繊維の被洗浄面に付着している細菌に対する除菌作用の向上と、繊維品に対する洗浄効果に寄与する。上記（Ｂ）成分としては、モノエタノールアミン、ジエタノールアミン、トリエタノールアミン等のエタノールアミンがあげられる。これらは単独または２種以上を組み合わせて用いてもよい。
【００２４】
上記（Ｂ）成分の配合量は、本組成物全体に対し、１〜３０質量％の範囲内に設定しなければならない。すなわち、１質量％未満の配合量では除菌効果と洗浄効果の向上効果に乏しく、３０質量％を超えると除菌効果と洗浄効果は飽和になり、経済的に不利になるからである。上記範囲のなかでも、特に、５〜１５質量％の範囲に設定することが、除菌効果の向上、洗浄効果および経済性の点から好適である。
【００２５】
さらに、本発明で用いられる（Ｃ）成分のキレート剤は、細菌に対する除菌効果の向上と、繊維品に対する洗浄効果に寄与する。上記（Ｃ）成分としては、クエン酸、グルコン酸、コハク酸、トリポリリン酸、ヒドロキシエチルエチレンジアミントリ酢酸、エチレンジアミンテトラ酢酸、ジエチレントリアミンペンタ酢酸、ニトリロトリ酢酸、トリエチレンテトラミンヘキサ酢酸、ホスホン酸類、Ｌ−グルタミン酸二酢酸、メチルグリシン二酢酸、アクリル酸重合体、アクリル酸とマレイン酸の共重合体、およびそのアルカリ金属塩等があげられる。これらは単独または２種以上を組み合わせて用いてもよい。
【００２６】
上記（Ｃ）成分の配合量は、本組成物全体に対し、１０〜３０質量％の範囲内に設定しなければならない。すなわち、１質量％未満の配合量では除菌効果と洗浄効果の向上効果に乏しく、３０質量％を超えると除菌効果と洗浄効果は飽和になり、経済的に不利になるからである。上記範囲のなかでも、特に、１０〜２０質量％の範囲に設定することが、除菌効果の向上、洗浄効果および経済性の点から好適である。
【００２７】
上記（Ａ）〜（Ｃ）成分を必須成分として含有する液体除菌洗浄剤組成物は、尿や便により形成された不衛生な汚れに対し、優れた除菌効果および洗浄効果を発揮し、しかも衣料等の繊維品にへの汚れの再汚染が少ないという利点を有する。したがって、介護を必要とする者が着用するおしめ、パンツなどの介護用衣料、新生児の衣料、お絞り、タオル、シーツ等の繊維品を、一回の洗浄で衛生的に除菌して、清浄に仕上げることができる。
【００２８】
なお、本組成物には、上記（Ａ）〜（Ｃ）成分とともに、（Ｄ）成分として非イオン界面活性剤を用いると、さらに優れた効果を得ることができ好適である。上記非イオン界面活性剤は、主に洗浄効果の向上に寄与するもので、上記非イオン界面活性剤としては、例えば、炭素数が８〜２２、好ましくは１２〜１８の直鎖または分岐鎖を有する、第１級または第２級アルコールに対して、エチレンオキサイドの平均付加モル数が５〜２０、好ましくは６〜１５であるポリオキシエチレンアルキルエーテル、ポリオキシエチレンアルケニルエーテル、ポリオキシエチレンアルキレンフェニルエーテル、ポリオキシエチレンポリオキシプロピレンアルキルエーテル、ポリオキシエチレンポリオキシプロピレンアルケニルエーテル、ポリオキシアルキレングリコール脂肪酸エステル、アルキルアミンエキチンオキサイド付加物等があげられる。これらは単独または２種以上を組み合わせて用いてもよい。
【００２９】
上記（Ｄ）成分を用いる場合、その配合量は、本組成物全体に対し、１〜４０質量％の範囲内に設定することが好ましい。すなわち、１質量％未満の配合量では、繊維品に対する洗浄効果の向上効果に乏しく、４０質量％を超えると、洗浄効果は飽和となり経済的に不利になるおそれがあるからである。なお、上記範囲のなかでも、特に１０〜３０質量％の範囲に設定することが、とりわけ除菌効果の向上、洗浄効果および経済性の点から好適である。
【００３０】
また、本組成物には、任意成分として、本発明の効果を妨げない範囲において、プロピレングリコール、エチルアルコール等の溶剤、ｐＨ調整剤、粘度調整剤、酵素、酵素安定化剤、蛍光増白剤、染料、香料、消臭剤、金属腐食防止剤等を配合することができる。なお、上記溶剤は、上記（Ａ）〜（Ｄ）成分の安定化剤、可溶化剤等として、（Ａ）〜（Ｄ）成分に添加含有されているものであっても、別途任意に添加されるものであってもよい。
【００３１】
なお、本組成物は、通常、上記（Ａ）〜（Ｃ）成分、もしくは（Ａ）〜（Ｄ）成分に対して、任意成分と水とを加えることによって、液体組成物として調製される。
【００３２】
上記水としては、水道水、軟水、イオン交換水、純水、精製水等があげられ、好ましくは、軟水、イオン交換水、純水が用いられる。これらも、単独で用いても２種以上を組み合わせて用いることができる。そして、上記水は、本組成物全体が１００質量％となるように、バランスとして残質量％が配合される。
【実施例】
【００３３】
以下、本発明の実施例について、参考例、比較例と併せて詳細に説明する。なお、本発明は、これらの実施例に限定されるものではない。
【００３４】
〔実施例１〜２２、参考例１，２、比較例１〜１２〕
表１〜表８に記載した組成の液体除菌洗浄剤組成物（以下、供試組成物という）を調整し、その除菌力、洗浄力、汚れの再汚染防止性の各試験項目について、下記の方法で試験を行って評価した。その結果を、上記表１〜表８に併せて示す。なお、表中の各成分の詳細は、以下の通りであり、表中の組成を示す数値は、各成分の有効含有量（質量％、純分換算）で示している。
【００３５】
（Ａ）成分
＊ジアルキルジメチルアンモニウム塩１
：ジオクチルジメチルアンモニウムクロライド（ロンザジャパン社製／バーダックＬＦ    ８０）
＊ジアルキルジメチルアンモニウム塩２
：ジデシルジメチルアンモニウムクロライド（ロンザジャパン社製／バーダック２２８    ０）
【００３６】
（Ｂ）成分
＊アルカリ剤１
：モノエタノールアミン（日本触媒社製／モノエタノールアミン９０）
＊アルカリ剤２
：ジエタノールアミン（日本触媒社製／ジエタノールアミン８０）
【００３７】
（Ｃ）成分
＊キレート剤１
：ニトリロトリ酢酸・３ナトリウム（ＢＡＳＦ社製／トリロンＡ９２Ｒ）
＊キレート剤２
：エチレンジアミンテトラ酢酸・４ナトリウム（ＢＡＳＦ社製／トリロンＢ）
【００３８】
（Ｄ）成分
＊非イオン界面活性剤１
：ポリオキシエチレンアルキルエーテル、炭素数Ｃ１３のエチレンオキサイド１０モル    付加物（第一工業製薬社製／ノイゲンＴＤＳ−１００）
＊非イオン界面活性剤２
：ポリオキシエチレンアルキルエーテル、炭素数Ｃ１２−１４の第２級アルコールのエ    チレンオキサイド１２モル付加物（日本触媒社製／ソフタノール１２０）
【００３９】
〔除菌力試験〕
（試験方法）
排泄物中の細菌モデルとして、大腸菌（Ｅ．Ｃｏｌｉ  ＡＴＣＣ１１２２９）を用い、下記の方法によって、除菌力を評価した。すなわち、まず、各供試組成物を５０ｐｐｍ（ＣａＣＯ3 として）の硬水で０．１５質量％に希釈した。つぎに、細菌数が１０8 個となるように調整した菌液１００μｌを１０ｇの繊維に付着させた後、上記希釈液と細菌付着繊維とを混合して供試組成物と細菌を接触させた。１０分間後、接触液１ｍｌを取り出して９ｍｌ薬剤不活化リン酸バッファーに加え、同様の操作を行って段階的に希釈した後、標準寒天培地（栄研化学社製）にて混釈培養し、生存菌数を測定した。そして、下記の式（２）で求められる接触菌数と生存菌数の常用対数値の差を除菌活性値とし、下記４段階の評価基準により評価した。
【００４０】
【数１】
0005385521.tif 000004
【００４１】
（評価基準）
◎：非常に除菌力に優れる（除菌活性値が２以上）。
○：除菌力に優れる（除菌活性値が１以上２未満）。
△：やや除菌力に劣る（除菌活性値が０．５以上１未満）。
×：除菌力に劣る（除菌活性値が０．５未満）。
なお、◎および○を実用性があるものと評価した。
【００４２】
〔洗浄力試験〕
（試験方法）
排泄物汚れのモデルとして、試験用のタンパク質含有汚染布（ＥＭＰＡ１１１、Ｔｅｓｔｆａｂｒｉｃｓ社製）を用い、下記の方法によって、洗浄力を評価した。すなわち、まず、各供試組成物０．１５ｇを水道水に希釈した（洗剤使用濃度０．１５％）。そして、上記希釈液にＥＭＰＡ１１１を入れ、洗浄装置（Ｔｅｒｇ−Ｏ−Ｔｏｍｅｔｅ、大栄科学精器製作所社製）を用いて２５℃で１０分間の洗浄を行った後、下記の式（３）で求められる洗浄率にもとづき、下記４段階の評価基準により評価した。
【００４３】
【数２】
0005385521.tif 000005
【００４４】
（評価基準）
◎：非常に洗浄力に優れる（洗浄率が９０％以上）。
○：洗浄力に優れる（洗浄率が７０％以上９０％未満）。
△：やや洗浄力に劣る（洗浄率が６０％以上７０％未満）。
×：洗浄力に劣る（洗浄率が６０％未満）。
なお、◎および○を実用性があるものと評価した。
【００４５】
〔再汚染防止性試験〕
（試験方法）
排泄物汚れのモデルとして、上記の試験方法と同様、試験用のタンパク質含有汚染布（ＥＭＰＡ１１１、Ｔｅｓｔｆａｂｒｉｃｓ社製）を用い、１００％綿ブロードからなる白布とともに洗濯して、下記の方法に従って白布への再汚染度合いを評価した。すなわち、まず、前処理として、蛍光剤の含まれていない洗剤を標準使用量だけ湯（４０〜５０℃）に溶かし、この洗浄液で３回、上記白布を洗浄した後、泡がなくなるまで充分にすすいだ。そして、各供試組成物０．１５ｇを水道水に希釈した（洗剤使用濃度０．１５％）後、各希釈液にＥＭＰＡ１１１と白布を入れ、洗浄装置（Ｔｅｒｇ−Ｏ−Ｔｏｍｅｔｅｒ、大栄科学精器製作所社製）を用いて２５℃で１０分間の洗浄を行い、白布に対する再汚染度合いを目視により評価して下記の３段階の評価基準により評価した。
【００４６】
（評価基準）
◎：汚れの再汚染がない。
○：汚れの再汚染が殆どない。
×：汚れの再汚染がある。
なお、◎および○を実用性があるものと評価した。
【００４７】
【表１】
0005385521.tif 000006
【００４８】
【表２】
0005385521.tif 000007
【００４９】
【表３】
0005385521.tif 000008
【００５０】
【表４】
0005385521.tif 000009
【００５１】
【表５】
0005385521.tif 000010
【００５２】
【表６】
0005385521.tif 000011
【００５３】
【表７】
0005385521.tif 000012
【００５４】
【表８】
0005385521.tif 000013
【００５５】
本発明の液体除菌洗浄剤組成物である実施例１〜２２において、除菌効果、洗浄効果、汚れの再汚染防止性のいずれの試験項目においても、良好な性能を示すことがわかる。
【００５６】
比較例１、比較例５および比較例６は、ジアルキルジメチルアンモニウム塩を含まない場合もしくは少なすぎる場合であり、細菌の除菌効果に欠けるとともに、衣類等の洗浄効果に乏しいことがわかる。
【００５７】
比較例９、１０は、アルキル基の長いジデシルジメチルアンモニウムクロライドの場合であり、配合量が多いと衣類等の洗浄後にきれいな衣類等に対して、汚れを再汚染させてしまい仕上がりを悪くさせることがわかる。また、ジデシルジメチルアンモニウムクロライドの配合量を減らすと再汚染は少なくなるが、繊維品に殆ど吸着してしまい、細菌に対する除菌効果に欠けることがわかる。
【００５８】
比較例４は、ジオクチルジメチルアンモニウムクロライドの配合量を増やした場合であり、繊維品への吸着が強まることにより再汚染防止性が著しく低下し、仕上がりを悪くしていることがわかる。
【００５９】
比較例２、７、１１は、アルカリ剤を含まない場合もしくは少なすぎる場合であり、除菌効果および洗浄効果の少なくとも一方に欠けることがわかる。
【００６０】
比較例３、８、１２は、キレート剤を含まない場合もしくは少なすぎる場合であり、同じく除菌効果および洗浄効果の少なくとも一方に欠けることがわかる。